(57)【要約】      （修正有）【課題】複数のアプリケーションを実行するディスプレイ装置の制御方法を提供する。【解決手段】各々アプリケーションを実行する複数のウィンドウを表示するステップと、上記複数のウィンドウを実行するようにするアイコン化入力を受けるステップと、上記複数のウィンドウ各々のウィンドウ情報を確認し、上記複数のウィンドウの表示を中断するステップと、上記確認されたウィンドウ情報に基づいて、上記複数のウィンドウを一括実行するようにする短縮実行アイコンを生成するステップとを含むディスプレイ装置の制御方法。【選択図】図１
2014116010.tif 000002
【特許請求の範囲】
【請求項１】
ディスプレイ装置の制御方法であって、
各々アプリケーションを実行する複数のウィンドウを表示するステップと、
前記複数のウィンドウを実行するようにするアイコン化入力を受けるステップと、
前記複数のウィンドウ各々のウィンドウ情報を確認し、前記複数のウィンドウの表示を中断するステップと、
前記確認されたウィンドウ情報に基づいて、前記複数のウィンドウを一括実行するようにする短縮実行アイコンを生成するステップと
を含むことを特徴とするディスプレイ装置の制御方法。
【請求項２】
前記ウィンドウ情報は、
実行されるアプリケーションの種類、ウィンドウの位置及びウィンドウのサイズのうちの少なくとも一つを含むことを特徴とする請求項１に記載のディスプレイ装置の制御方法。
【請求項３】
前記短縮実行アイコンが指定されることを判定するステップと、
前記短縮実行アイコンが指定されると、前記短縮実行アイコンに対応する前記複数のウィンドウ各々のウィンドウ情報を読み出すステップと、
前記読み出された複数のウィンドウ各々のウィンドウ情報に基づいて、前記複数のウィンドウを表示するステップと
をさらに含むことを特徴とする請求項１に記載のディスプレイ装置の制御方法。
【請求項４】
前記短縮実行アイコンは、
前記複数のウィンドウで実行されるアプリケーションのサムネールイメージの混合イメージであることを特徴とする請求項１に記載のディスプレイ装置の制御方法。
【請求項５】
前記複数のウィンドウを実行するようにするアイコン化入力を受けるステップは、
アイコン化実行アイコンを、ディスプレイ装置に含まれるディスプレイ部の端（edge）に沿って位置するバー（bar）に表示するステップと、
前記バーに表示されたアイコン化実行アイコンが指定されるか否かを検出するステップとを含むことを特徴とする請求項１に記載のディスプレイ装置の制御方法。
【請求項６】
前記複数のウィンドウを実行するようにするアイコン化入力を受けるステップは、
前記ディスプレイ装置の画面をキャプチャ（capture）するスクリーンキャプチャボタンを表示するステップと、
前記スクリーンキャプチャボタンが、所定の臨界値と同一であるか、前記臨界値より大きい時間の間、プレス（press）されるか否かを検出するステップと
を含むことを特徴とする請求項１に記載のディスプレイ装置の制御方法。
【請求項７】
前記確認されたウィンドウ情報を他のディスプレイ装置に送信するステップとをさらに含むことを特徴とする請求項１に記載のディスプレイ装置の制御方法。
【請求項８】
ディスプレイ装置であって、
各々アプリケーションを実行する複数のウィンドウを表示し、前記複数のウィンドウを実行するようにするアイコン化入力を受けるタッチスクリーンと、
前記複数のウィンドウ各々のウィンドウ情報を確認し、前記複数のウィンドウの表示を中断するように制御し、前記確認された複数のウィンドウ各々のウィンドウ情報に基づいて、前記複数のウィンドウを一括実行するようにする短縮実行アイコンを生成する制御部と、
前記確認された複数のウィンドウ各々のウィンドウ情報を記憶するメモリ部と
を含むことを特徴とするディスプレイ装置。
【請求項９】
前記ウィンドウ情報は、
実行されるアプリケーションの種類、ウィンドウの位置、及びウィンドウのサイズのうちの少なくとも一つを含むことを特徴とする請求項８に記載のディスプレイ装置。
【請求項１０】
前記制御部は、
前記短縮実行アイコンが指定されると、前記メモリ部から前記短縮実行アイコンに対応する複数のウィンドウ各々のウィンドウ情報を読み出し、前記読み出されたウィンドウ情報に基づいて、前記複数のウィンドウを表示することを特徴とする請求項８に記載のディスプレイ装置。
【請求項１１】
前記短縮実行アイコンは、
前記複数のウィンドウで実行されるアプリケーションのサムネールイメージの混合イメージであることを特徴とする請求項８に記載のディスプレイ装置。
【請求項１２】
前記タッチスクリーンは、
アイコン化実行アイコンをディスプレイ装置の下段バーに表示し、
前記制御部は、
前記下段バーに表示されたアイコン化実行アイコンが指定されるか否かを検出してアイコン化入力の入力の可否を判定することを特徴とする請求項８に記載のディスプレイ装置。
【請求項１３】
前記タッチスクリーンは、
前記ディスプレイ装置の画面をキャプチャ（capture）するスクリーンキャプチャボタンを表示し、
前記制御部は、
前記スクリーンキャプチャボタンが所定の臨界値と同一であるか、前記臨界値より大きい時間の間、プレス（press）されるか否かを検出してアイコン化入力の入力の可否を判定することを特徴とする請求項８に記載のディスプレイ装置。
【請求項１４】
前記確認されたウィンドウ情報を他のディスプレイ装置へ送信する通信部をさらに含むことを特徴とする請求項８に記載のディスプレイ装置。
【発明の詳細な説明】
【技術分野】
【０００１】
本発明は、複数のアプリケーションを実行するディスプレイ装置及びその制御方法に関し、より詳しくは、複数のアプリケーションの各々が実行されるウィンドウの表示を制御するディスプレイ装置及びその制御方法に関する。
【背景技術】
【０００２】
デスクトップコンピューターは、少なくとも一つのディスプレイ装置（例えば、モニター）を有する。タッチスクリーンを用いるモバイル機器（例えば、携帯電話、スマートフォン又はタブレットＰＣ）は、一つのディスプレイ装置を有する。
【０００３】
デスクトップコンピューターのユーザーは、作業環境によってディスプレイ装置の画面を分割（例えば、複数のウィンドウを開いて作業する方式で、横分割又は縦分割）して使用できる。ウェブブラウザが実行される場合、キーボードのページアップ（page up）ボタン又はページダウン（page down）ボタンを利用してウェブページの上方向又は下方向に移動することができる。キーボードの代わりにマウスを用いる場合、マウスのカーソルでウェブページの側面にあるスクロールバー（scroll bar）を選択してウェブページの上方向又は下方向に移動することができる。また、ウェブページの下部にあるテキスト又はアイコンとして表示される「ページのトップへ（top）」ボタンを選択してウェブページの最上部へ移動することができる。
【０００４】
モバイル機器は、デスクトップコンピューターと比べて、ディスプレイされる画面のサイズが小さく、入力に制限がある。モバイル機器は、画面を多数の区域に分割して使うことが難い。
【０００５】
また、モバイル機器には、上記機器の製造会社により製作されて、上記機器に設定される基本アプリケーションと、インターネットのアプリケーションの販売サイトを介してダウンロードされる追加のアプリケーションなど、多様なアプリケーションが実行され得る。上記追加のアプリケーションは一般ユーザーにより開発され、上記販売サイトに登録できる。したがって、誰でも自分の開発したアプリケーションを上記アプリケーションの販売サイトを介して、自由に上記モバイル機器のユーザーに販売することができる。これにより、現在、モバイル機器には、その製品によって数万から数十万本のアプリケーションが無料又は有料で提供されている。
【０００６】
このように、消費者の好奇心を刺激し、消費者の欲求を充足させる多様なアプリケーションがモバイル機器に提供されているものの、モバイル機器は携帯可能なサイズで製作されるため、そのディスプレイのサイズ及びユーザーインターフェース（User Interface、ＵＩ）に制限がある。これにより、ユーザーがモバイル機器で多数のアプリケーションを実行するのに不都合がある。例えば、モバイル機器では、一つのアプリケーションが実行される場合、ディスプレイの表示領域の全体に表示される。そして、他の所望のアプリケーションを実行しようとする場合、現在実行中のアプリケーションをまず終了してから、再び上記所望のアプリケーション実行のための実行キーを選択しなければならない。即ち、モバイル機器では、様々なアプリケーションを実行させるために、それぞれのアプリケーションに対する実行及び終了の過程を繰り返さなければならない面倒なことがある。また、モバイル機器で多数のアプリケーションを同時に実行させるための方法は提供されていない。
【０００７】
一方、特定の複数のアプリケーションが同時に利用される頻度が相対的に多くなる。例えば、動画の講義を視聴するためには、動画再生アプリケーション及びメモ帳アプリケーションが同時に利用される可能性が高い。これにより、動画再生アプリケーション及びメモ帳アプリケーションが同時に実行できる構成の開発が要求される。共に、複数のアプリケーションが各々実行される複数のウィンドウのサイズ又は位置もまた、ユーザーが意図した通り、迅速に提供できる技術の開発が要求される。
【発明の概要】
【発明が解決しようとする課題】
【０００８】
したがって、本発明は、上述した技術の開発への要求に応じてなされたものであり、本発明の目的は、ユーザーが製作した複数のアプリケーションを一括実行するようにする短縮実行アイコンを提供するディスプレイ装置及びその制御方法を提供することにある。
【課題を解決するための手段】
【０００９】
上記のような目的を達成するために、本発明の一態様によれば、ディスプレイ装置の制御方法が提供される。上記制御方法は、各々アプリケーションを実行する複数のウィンドウを表示するステップと、上記複数のウィンドウを実行するようにするアイコン化入力を受けるステップと、上記複数のウィンドウ各々のウィンドウ情報を確認し、上記複数のウィンドウの表示を中断するステップと、上記確認されたウィンドウ情報に基づいて、上記複数のウィンドウを一括実行するようにする短縮実行アイコンを生成するステップとを含む。
【００１０】
本発明の他の態様によれば、ディスプレイ装置が提供される。上記ディスプレイ装置は、各々アプリケーションを実行する複数のウィンドウを表示し、上記複数のウィンドウを実行するようにするアイコン化入力を受けるタッチスクリーンと、上記複数のウィンドウ各々のウィンドウ情報を確認し、上記複数のウィンドウの表示を中断するよう制御し、上記確認された複数のウィンドウ各々のウィンドウ情報に基づいて、上記複数のウィンドウを一括実行するようにする短縮実行アイコンを生成する制御部と、上記確認されたウィンドウ各々のウィンドウ情報を記憶するメモリ部とを含む。
【００１１】
さらに、本発明のまた他の態様によれば、別のディスプレイ装置からデータを送信して表示するディスプレイ装置が提供される。上記ディスプレイ装置は、タッチスクリーンと、上記別のディスプレイ装置から複数のウィンドウの実行されるアプリケーションの種類、ウィンドウの位置及びウィンドウのサイズのうちの少なくとも一つを含むウィンドウ情報を受信する通信部と、上記受信されたウィンドウ情報に基づいて、上記複数のウィンドウを実行するようにする短縮実行アイコンが上記タッチスクリーン上に表示されるよう制御する制御部と、上記受信されたウィンドウ情報を記憶するメモリ部とを含む。
【００１２】
さらに、本発明のまた他の態様によれば、ディスプレイ装置が提供される。上記ディスプレイ装置は、各々アプリケーションを実行する複数のウィンドウを表示し、上記複数のウィンドウを実行するようにするアイコン化入力を受けるタッチスクリーンと、上記複数のウィンドウの使用履歴を記憶するメモリ部と、上記複数のウィンドウの使用履歴から、上記複数のウィンドウを一括実行するようにする短縮実行アイコンを生成するための複数のウィンドウのアイコン化情報を抽出し、上記抽出した複数のウィンドウのアイコン化情報に対応して短縮実行アイコンを生成して表示するよう制御する制御部とを含んでもよい。
【００１３】
また、本発明のまた他の態様によれば、ディスプレイ装置の制御方法が提供される。上記制御方法は、各々アプリケーションを実行する複数のウィンドウの使用履歴を記憶するステップと、上記複数のウィンドウの使用履歴から、上記複数のウィンドウを一括実行するようにする短縮実行アイコンを生成するための複数のウィンドウのアイコン化情報を抽出するステップと、上記抽出した複数のウィンドウのアイコン化情報に対応して短縮実行アイコンを生成して表示するステップとを含んでもよい。
【００１４】
なお、本発明のまた他の態様によれば、ディスプレイ装置の制御方法が提供される。上記制御方法は、ディスプレイ上に各々のアプリケーションを実行する複数のウィンドウを表示するステップと、上記複数のウィンドウを同時に実行させるための短縮実行アイコンの生成への要請を受けるステップと、上記短縮実行アイコンを生成して、上記ディスプレイ上の予め定められた領域に表示するステップとを含んでもよい。
【発明の効果】
【００１５】
本発明の様々な態様によれば、ユーザーが製作した複数のアプリケーションを一括実行するようにする短縮実行アイコンを提供するディスプレイ装置及びその制御方法が提供できる。したがって、ユーザーは所望のウィンドウの配置又はサイズを最適化して記憶し、記憶されたウィンドウを一括実行することができるので、ユーザーの便宜が極大化することができる。
【図面の簡単な説明】
【００１６】
【図１】本発明の一実施形態によるディスプレイ装置を示す概略ブロック図である。
【図２Ａ】本発明の一実施形態によるディスプレイ装置の斜視図である。
【図２Ｂ】本発明の一実施形態によるＺ-オーダー（Z-order）を説明するための概念図である。
【図３Ａ】本発明の一実施形態によるウィンドウの表示画面を示す。
【図３Ｂ】本発明の一実施形態によるフレームワークを説明するための概念図である。
【図３Ｃ】本発明の一実施形態によるウィンドウの表示順序の変更を説明するための画面を示す。
【図３Ｄ】本発明の一実施形態による、表示順序の変更されたウィンドウが表示された画面を示す。
【図４Ａ】本発明の一実施形態によるディスプレイ装置のスプリットモードを説明するためのディスプレイ装置の概念図である。
【図４Ｂ】本発明の一実施形態によるディスプレイ装置スプリットモードを説明するためのディスプレイ装置の概念図である。
【図５Ａ】本発明の一実施形態によるディスプレイ装置の動作を説明するための概念図である。
【図５Ｂ】本発明の一実施形態によるディスプレイ装置の動作を説明するための概念図である。
【図５Ｃ】本発明の一実施形態によるディスプレイ装置の動作を説明するための概念図である。
【図６Ａ】本発明の一実施形態によるディスプレイ装置の動作を説明するための概念図である。
【図６Ｂ】本発明の一実施形態によるディスプレイ装置の動作を説明するための概念図である。
【図６Ｃ】本発明の一実施形態によるディスプレイ装置の動作を説明するための概念図である。
【図７】本発明の一実施形態によるディスプレイ装置の制御方法を説明するためのフローチャートである。
【図８】本発明の一実施形態によるディスプレイ装置の制御方法を示すフローチャートである。
【図９】本発明の他の実施形態によるディスプレイ装置の制御方法についてのフローチャートである。
【図１０】本発明の一実施形態によるディスプレイ装置の制御方法についてのフローチャートである。
【図１１】本発明の一実施形態によるディスプレイ装置の制御方法のフローチャートである。
【図１２Ａ】本発明の多様な実施形態によるディスプレイ装置の概念図である。
【図１２Ｂ】本発明の多様な実施形態によるディスプレイ装置の概念図である。
【図１２Ｃ】本発明の多様な実施形態によるディスプレイ装置の概念図である。
【図１２Ｄ】本発明の多様な実施形態によるディスプレイ装置の概念図である。
【図１２Ｅ】本発明の多様な実施形態によるディスプレイ装置の概念図である。
【図１２Ｆ】本発明の多様な実施形態によるディスプレイ装置の概念図である。
【図１２Ｇ】本発明の多様な実施形態によるディスプレイ装置の概念図である。
【図１２Ｈ】本発明の多様な実施形態によるディスプレイ装置の概念図である。
【図１２Ｉ】本発明の多様な実施形態によるディスプレイ装置の概念図である。
【図１２Ｊ】本発明の多様な実施形態によるディスプレイ装置の概念図である。
【図１２Ｋ】本発明の多様な実施形態によるディスプレイ装置の概念図である。
【図１２Ｌ】本発明の多様な実施形態によるディスプレイ装置の概念図である。
【図１２Ｍ】本発明の多様な実施形態によるディスプレイ装置の概念図である。
【図１２Ｎ】本発明の多様な実施形態によるディスプレイ装置の概念図である。
【図１２Ｏ】本発明の多様な実施形態によるディスプレイ装置の概念図である。
【図１２Ｐ】本発明の多様な実施形態によるディスプレイ装置の概念図である。
【図１２Ｑ】本発明の多様な実施形態によるディスプレイ装置の概念図である。
【図１２Ｒ】本発明の多様な実施形態によるディスプレイ装置の概念図である。
【図１３Ａ】本発明の多様な実施形態によるディスプレイ装置の表示画面の概念図である。
【図１３Ｂ】本発明の多様な実施形態によるディスプレイ装置の表示画面の概念図である。
【図１３Ｃ】本発明の多様な実施形態によるディスプレイ装置の表示画面の概念図である。
【図１３Ｄ】本発明の多様な実施形態によるディスプレイ装置の表示画面の概念図である。
【図１３Ｅ】本発明の多様な実施形態によるディスプレイ装置の表示画面の概念図である。
【図１３Ｆ】本発明の一実施形態による名前変更ＵＩの概念図である。
【図１４Ａ】本発明の多様な実施形態による短縮実行アイコンの概念図である。
【図１４Ｂ】本発明の多様な実施形態による短縮実行アイコンの概念図である。
【図１５Ａ】本発明の多様な実施形態によるディスプレイ装置の制御方法を説明するフローチャートである。
【図１５Ｂ】本発明の多様な実施形態によるディスプレイ装置の制御方法を説明するフローチャートである。
【図１５Ｃ】本発明の一実施形態による短縮実行アイコンの概念図である。
【発明を実施するための形態】
【００１７】
以下、添付の図面を参照して、本発明による例示的な実施形態について詳細に説明する。ただし、本発明は例示的な実施形態により制限されるか、限定されることではない。添付した図において、同一の構成要素または機能的に類似した構成要素に対しては、同一の参照符号及び参照番号を付ける。
【００１８】
図1は、本発明の一実施形態によるディスプレイ装置の概略ブロック図である。
【００１９】
図1を参照すると、ディスプレイ装置１００は、制御部１１０、移動通信モジュール１２０、サブ通信モジュール１３０、マルチメディアモジュール１４０、カメラモジュール１５０、ＧＰＳモジュール１５５、入／出力（Ｉ／Ｏ）モジュール１６０、センサーモジュール１７０、メモリ部１７５、及び電源供給部１８０、タッチスクリーン１９０、タッチスクリーンコントローラ１９５などを含む。
【００２０】
ディスプレイ装置１００は、移動通信モジュール１２０、サブ通信モジュール１３０及びコネクタ１６５を用いて外部機器（図示せず）と接続することができる。「外部機器」は、他のディスプレイ装置（図示せず）、携帯電話（図示せず）、スマートフォン（図示せず）、タブレットＰＣ（図示せず）及びサーバ（図示せず）を含む。
【００２１】
サブ通信モジュール１３０は、無線ＬＡＮモジュール１３１及び近距離通信モジュール１３２のうちの少なくとも一つを含む。マルチメディアモジュール１４０は、放送通信モジュール１４１、オーディオ再生モジュール１４２及び動画再生モジュール１４３のうちの少なくとも一つを含む。カメラモジュール１５０は、第１カメラ１５１及び第２カメラ１５２のうちの少なくとも一つを含む。入／出力モジュール１６０は、ボタン１６１、マイク１６２、スピーカ１６３、振動モーター１６４、コネクタ１６５、及びキーパッド１６６のうちの少なくとも一つを含む。
【００２２】
制御部１１０は、ＣＰＵ１１１、ディスプレイ装置１００の制御のための制御プログラムが記憶されたロム（ＲＯＭ）１１２及びディスプレイ装置１００の外部から入力される信号又はデータを記憶するか、ディスプレイ装置１００で実行される作業のための記憶領域として用いられるラム（ＲＡＭ）１１３を含んでもよい。ＣＰＵ１１１は、シングルコア、デュアルコア、又はクアッドコアを含むことができる。ＣＰＵ１１１、ロム１１２及びラム１１３は、内部バス（bus）を通じて相互接続することができる。
【００２３】
制御部１１０は、移動通信モジュール１２０、サブ通信モジュール１３０、マルチメディアモジュール１４０、カメラモジュール１５０、ＧＰＳモジュール１５５、入／出力モジュール１６０、センサーモジュール１７０、メモリ部１７５、電源供給部１８０、タッチスクリーン１９０及びタッチスクリーンコントローラ１９５を制御することができる。
【００２４】
移動通信モジュール１２０は、制御部１１０の制御下、少なくとも一つ−１個又は複数個−のアンテナ（図示せず）を用いて移動通信を介して、ディスプレイ装置１００が外部機器と接続されるようにする。移動通信モジュール１２０は、ディスプレイ装置１００に入力される電話番号を有する携帯電話（図示せず）、スマートフォン（図示せず）、タブレットＰＣ又は他の装置（図示せず）から音声通話、画像通話、文字メッセージサービス（ＳＭＳ）又はマルチメディアメッセージサービス（ＭＭＳ）のための無線信号を送／受信する。
【００２５】
サブ通信モジュール１３０は、無線ＬＡＮモジュール１３１及び近距離通信モジュール１３２のうちの少なくとも一つを含んでもよい。例えば、無線ＬＡＮモジュール１３１のみを含むか、近距離通信モジュール１３２のみを含むか、又は無線ＬＡＮモジュール１３１と近距離通信モジュール１３２の両方を含んでもよい。
【００２６】
無線ＬＡＮモジュール１３１は、制御部１１０の制御下、無線ＡＰ（access point）（図示せず）が設定される場所でインターネットに接続できる。無線ＬＡＮモジュール１３１は、アメリカ電子学会（ＩＥＥＥ）の無線ＬＡＮ規格（ＩＥＥＥ８０２．１１ｘ）を支援する。近距離通信モジュール１３２は、制御部１１０の制御下、ディスプレイ装置１００と画像形成装置（図示せず）との間に、無線で近距離通信をすることができる。近距離通信方式は、 ブルートゥース（bluetooth（登録商標））、赤外線通信（ＩｒＤＡ、Infrared Data Association）などを含んでもよい。
【００２７】
ディスプレイ装置１００は、性能によって、移動通信モジュール１２０、無線ＬＡＮモジュール１３１、及び近距離通信モジュール１３２のうちの少なくとも一つを含んでもよい。例えば、ディスプレイ装置１００は、性能によって、移動通信モジュール１２０、無線ＬＡＮモジュール１３１、及び近距離通信モジュール１３２の組合せを含んでもよい。
【００２８】
マルチメディアモジュール１４０は、放送通信モジュール１４１、オーディオ再生モジュール１４２又は動画再生モジュール１４３を含んでもよい。放送通信モジュール１４１は、制御部１１０の制御下、放送局から放送通信アンテナ（図示せず）を通じて送出される放送信号（例えば、ＴＶ放送信号、ラジオ放送信号又はデータ放送信号）及び放送付加情報（例えば、ＥＰＧ（Electronic Program Guide）又はＥＳＧ（Electronic Service Guide））を受信できる。オーディオ再生モジュール１４２は、制御部１１０の制御下、記憶されるか、又は受信されるデジタルオーディオファイル（例えば、ファイル拡張子が、mp3、wma、ogg、又はwavであるファイル）を再生できる。動画再生モジュール１４３は、制御部１１０の制御下、記憶されるか、受信されるデジタル動画ファイル（例えば、ファイル拡張子が、mpeg、mpg、mp4、avi、mov、又はmkvであるファイル）を再生できる。動画再生モジュール１４３はデジタルオーディオファイルを再生できる。
【００２９】
マルチメディアモジュール１４０は、放送通信モジュール１４１を除いて、オーディオ再生モジュール１４２と動画再生モジュール１４３を含んでもよい。また、マルチメディアモジュール１４０のオーディオ再生モジュール１４２と動画再生モジュール１４３は、制御部１１０に含まれてもよい。
【００３０】
カメラモジュール１５０は、制御部１１０の制御下、静止イメージ又は動画を撮影する第１カメラ１５１及び第２カメラ１５２のうちの少なくとも一つを含んでもよい。また、第１カメラ１５１又は第２カメラ１５２は、撮影に必要な光量を提供する補助光源（例えば、フラッシュ（図示せず））を含んでもよい。第１カメラ１５１は上記ディスプレイ装置１００の前面に配置され、第２カメラ１５２は上記ディスプレイ装置１００の背面に配置され得る。別の方式において、第１カメラ１５１と第２カメラ１５２は、隣接（例えば、第１カメラ１５１と第２カメラ１５２の間隔が１ｃｍより大きく、８ｃｍより小さい）に配置されて、３次元の静止イメージ又は３次元の動画を撮影することができる。
【００３１】
ＧＰＳモジュール１５５は、地球の軌道上にある複数のＧＰＳ衛星（図示せず）より電波を受信し、ＧＰＳ衛星（図示せず）からディスプレイ装置１００まで電波の到達時間（Time of Arrival）を利用してディスプレイ装置１００の位置を算出できる。
【００３２】
入／出力モジュール１６０は、複数のボタン１６１、マイク１６２、スピーカ１６３、振動モーター１６４、コネクタ１６５及びキーパッド１６６のうちの少なくとも一つを含んでもよい。
【００３３】
ボタン１６１は、上記ディスプレイ装置１００のハウジングの前面、側面又は背面に形成されてもよく、電源／ロックボタン（図示せず）、ボリュームボタン（図示せず）、メニューボタン、ホームボタン、戻るボタン（back button）及び検索ボタンのうちの少なくとも一つを含んでもよい。
【００３４】
マイク１６２は、制御部１１０の制御下、音声（voice）又はサウンド（sound）の入力に応じて電気的信号を生成する。
【００３５】
スピーカ１６３は、制御部１１０の制御下、移動通信モジュール１２０、サブ通信モジュール１３０、マルチメディアモジュール１４０又はカメラモジュール１５０の様々な信号（例えば、無線信号、放送信号、デジタルオーディオファイル、デジタル動画ファイル又は写真撮影など）に対応するサウンドをディスプレイ装置１００の外部へ出力できる。スピーカ１６３は、ディスプレイ装置１００の実行機能に対応するサウンド（例えば、電話通話に対応するボタンの操作音、又は通話の連結音）を出力できる。スピーカ１６３は、ディスプレイ装置１００のハウジングの適切な位置又は複数の位置に一つ又は複数形成されてもよい。
【００３６】
振動モーター１６４は、制御部１１０の制御下、電気的信号を機械的振動に切り替えることができる。例えば、振動モードにあるディスプレイ装置１００は、別の装置（図示せず）から音声通話が受信される場合、振動モーター１６４が動作する。上記ディスプレイ装置１００のハウジング内に一つ又は複数形成されてもよい。振動モーター１６４は、タッチスクリーン１９０上をタッチするユーザーのタッチ動作及びタッチスクリーン１９０上でのタッチの連続的な動きに応答して動作できる。
【００３７】
コネクタ１６５は、ディスプレイ装置１００と外部機器（図示せず）又は電源ソース（図示せず）を接続するためのインターフェイスとして用いることができる。制御部１１０の制御下、コネクタ１６５に接続された有線ケーブルを通してディスプレイ装置１００のメモリ部１７５に記憶されたデータを外部機器（図示せず）に伝送するか、又は外部機器（図示せず）よりデータを受信できる。コネクタ１６５に接続された有線ケーブルを通して、電源ソース（図示せず）から電源が入力されるか、バッテリー（図示せず）を充電することができる。
【００３８】
キーパッド１６６は、ディスプレイ装置１００の制御のために、ユーザーからキーの入力を受信できる。キーパッド１６６は、ディスプレイ装置１００に形成される物理的キーパッド（図示せず）、又はタッチスクリーン１９０に表示される仮想のキーパッド（図示せず）を含む。ディスプレイ装置１００に形成される物理的キーパッド（図示せず）は、ディスプレイ装置１００の性能又は構造によって除外されてもよい。
【００３９】
センサーモジュール１７０は、ディスプレイ装置１００の状態を検出するセンサーを少なくとも一つ含む。例えば、センサーモジュール１７０は、ユーザーのディスプレイ装置１００に対する接近の可否を検出する近接センサー、ディスプレイ装置１００周辺の光の量を検出する調度センサー（図示せず）、又はディスプレイ装置１００の動作（例えば、ディスプレイ装置１００の回転、ディスプレイ装置１００に加える加速度又は振動）を検出するモーションセンサー（図示せず）を含んでもよい。少なくとも一つのセンサーは、ディスプレイ装置の状態を検出し、検出に対応する信号を生成して制御部１１０へ伝送できる。センサーモジュール１７０のセンサーは、ディスプレイ装置１００の性能によって追加されるか、削除されてもよい。
【００４０】
メモリ部１７５は、制御部１１０の制御下、移動通信モジュール１２０、サブ通信モジュール１３０、マルチメディアモジュール１４０、カメラモジュール１５０、ＧＰＳモジュール１５５、入／出力モジュール１６０、センサーモジュール１７０、タッチスクリーン１９０の動作に対応するよう入／出力される信号又はデータを記憶することができる。メモリ部１７５は、ディスプレイ装置１００又は制御部１１０の制御のための制御プログラム及びアプリケーションを記憶することができる。
【００４１】
「メモリ部」という用語は、メモリ部１７５、制御部１１０内のロム１１２及びラム１１３又はディスプレイ装置１００に装着されるメモリカード（図示せず）（例えば、ＳＤ（Secure Digital）カード、メモリスティック）を含む。メモリ部は、非揮発性メモリ、揮発性メモリ、ハードディスクドライブ（ＨＤＤ）又はソリッドステートドライブ（ＳＳＤ）を含んでもよい。
【００４２】
電源供給部１８０は、制御部１１０の制御下、ディスプレイ装置１００のハウジングに配置される一つ又は複数のバッテリー（図示せず）に電源を供給することができる。一つ又は複数のバッテリー（図示せず）は、ディスプレイ装置１００に電源を供給する。また、電源供給部１８０は、コネクタ１６５と接続された有線ケーブルを通して外部の電源ソース（図示せず）から入力される電源をディスプレイ装置１００に供給できる。
【００４３】
タッチスクリーン１９０は、ユーザーに様々なサービス（例えば、通話、データ伝送、放送、写真撮影）に対応するユーザーインターフェースを提供することができる。タッチスクリーン１９０は、ユーザーインターフェースに入力される少なくとも一つのタッチに対応するアナログ信号をタッチスクリーンコントローラ１９５へ伝送できる。タッチスクリーン１９０は、ユーザーの身体（例えば、手の親指を含んだ指など）又はタッチ可能な入力手段（例えば、スタイラスペンなど）を通じて少なくとも一つのタッチを入力できる。また、タッチスクリーン１９０は、少なくとも一つのタッチの中で、一つのタッチの連続的な動きを入力できる。タッチスクリーン１９０は、入力されるタッチの連続的な動きに対応するアナログ信号をタッチスクリーンコントローラ１９５に伝送できる。
【００４４】
本発明において、「タッチ」は、タッチスクリーン１９０とユーザーの身体又はタッチ可能な入力手段との接触に限定されず、非接触（例えば、タッチスクリーン１９０とユーザーの身体又はタッチ可能な入力手段との間の検出可能な間隔が１ｍｍ以下）を含んでもよい。タッチスクリーン１９０で検出可能な間隔は、ディスプレイ装置１００の性能又は構造によって変更できる。
【００４５】
タッチスクリーン１９０は、例えば、抵抗膜（resistive）方式、静電容量（capacitive）方式、赤外線（infrared）方式又は超音波（acoustic wave）方式により実現できる。
【００４６】
タッチスクリーンコントローラ１９５は、タッチスクリーン１９０より受信されたアナログ信号をデジタル信号（例えば、ＸとＹ座標）に変換して制御部１１０へ伝送する。制御部１１０は、タッチスクリーンコントローラ１９５より受信されたデジタル信号を利用してタッチスクリーン１９０を制御できる。例えば、制御部１１０は、タッチに応答してタッチスクリーン１９０に表示された短縮実行アイコン（図示せず）が選択されるようにするか、短縮実行アイコン（図示せず）を実行できる。また、タッチスクリーンコントローラ１９５は制御部１１０に含まれてもよい。
【００４７】
図２Ａは、本発明の一実施形態によるディスプレイ装置の斜視図である。
【００４８】
図２Ａを参照すると、ディスプレイ装置１００の前面１００aの中央にはタッチスクリーン１９０が配置される。上記タッチスクリーン１９０は、ディスプレイ装置１００の前面１００aの大部分を占めるように大きく形成される。ディスプレイ装置１００の前面１００aの端（edge）には、第１カメラ１５１と調度センサー１７０aが配置されてもよい。ディスプレイ装置１００の側面１００ｂには、例えば、電源／リセットボタン１６１a、音量ボタン１６１ｂ、スピーカ１６３、放送受信のための地上波ＤＭＢアンテナ１４１a、マイク（図示せず）、コネクタ（図示せず）などが配置され、ディスプレイ装置１００の背面（図示せず）には第２カメラ（図示せず）が配置されてもよい。
【００４９】
上記タッチスクリーン１９０はメイン画面２１０及び下段のバー２２０を含む。図２Ａにおいて、ディスプレイ装置１００とタッチスクリーン１９０は、各々の水平方向の長さが垂直方向の長さより大きく配列されている。この場合、上記タッチスクリーン１９０は水平方向に配列されたと定義する。
【００５０】
上記メイン画面２１０は、一つ又は複数のアプリケーションが実行される領域である。図２Ａにおいては、上記タッチスクリーン１９０にホーム画面が表示された例を示す。ホーム画面は、ディスプレイ装置１００の電源をつけたとき、上記タッチスクリーン１９０上に表示される初画面である。ホーム画面には、ディスプレイ装置１００に記憶された多数のアプリケーションを実行するための複数の実行キー２１２が複数の行と複数の列で整列されて表示される。上記複数の実行キー２１２は、アイコン、ボタン、又はテキストなどにより形成されてもよい。各の実行キーがタッチされると、タッチされた実行キーに対応するアプリケーションが実行されて上記メイン画面２１０に表示される。
【００５１】
上記下段のバー２２０は、タッチスクリーン１９０の下段で水平方向に長く伸張され（elongated）、標準機能ボタン２２２、２２４、２２６及び２２８を含む。ホームボタン２２２は、メイン画面２１０にホーム画面を表示する。例えば、メイン画面２１０に複数のアプリケーションを実行する途中に、ホームボタン２２２がタッチされると、上記メイン画面２１０には、図２Ａに示したホーム画面がディスプレイされる。戻るボタン（back button）２２４は、現在実行されている画面のすぐ前に実行された画面をディスプレイするか、最近に用いられたアプリケーションを終了させる。マルチビューモードボタン２２６は、本発明によるマルチビューモード（multi view mode）で複数のアプリケーションをメイン画面２１０に表示する。モード転換ボタン２２８は、現在実行中の複数のアプリケーションを上記メイン画面２１０上で互いに異なるモードに転換（switch）して表示する。例えば、モード転換ボタン２２８がタッチされると、ディスプレイ装置１００において、複数のアプリケーションを同一位置に自由に表示して、互いに一部重畳できるフリースタイルモード（Freestyle Mode）と、上記複数のアプリケーションが上記メイン画面２１０上で互いに異なる領域に各々分離されて表示されるスプリットモード（Split Mode）間に転換が行なわれてもよい。
【００５２】
また、上記タッチスクリーン１９０の上段には、バッテリー充電状態、受信信号の強度、現在時刻のようなディスプレイ装置１００の状態を表示する上段のバー（図示せず）が形成されてもよい。
【００５３】
一方、ディスプレイ装置１００のオペレーティングシステム（operating system、ＯＳ）又は上記ディスプレイ装置１００で実行されるアプリケーションによって、タッチスクリーン１９０上に下段のバー２２０及び上段のバー（図示せず）が表示されなくてもよい。もし、タッチスクリーン１９０上に下段のバー２２０及び上段のバー（図示せず）が両方とも表示されない場合には、上記メイン画面２１０はタッチスクリーン１９０の全体領域に形成され得る。また、下段のバー２２０及び上段のバー（図示せず）は、上記メイン画面２１０上に重畳されて半透明に表示され得る。
【００５４】
図２Ｂは、本発明の一実施形態によるＺ−オーダー（Ｚ−order ）を説明するための概念図である。図２Ｂを参照すると、画面のＺ−オーダーをＮ個の階層（layer）に区分し、Ｎ番目の層は、Ｎ−１番目の層より上位に位置する上位層に該当する。各層には当該ウィンドウが存在し、そのウィンドウ上に各アプリケーションが実行できる。即ち、第１アプリケーションを実行させると、第１アプリケーションが第１層上のウィンドウに実行される。以後、第２アプリケーションを実行させると、第２アプリケーションが第２層上のウィンドウに実行される。以後、第３アプリケーションを実行させると、第３アプリケーションが第３層上のウィンドウに実行される。これにより、第１、第２、第３の層が階層的に生成される。即ち、最後に生成された層が最上に存在して最上位に表示できる。例えば、メイン画面２１０上には、複数のウィンドウ１〜４が互いに重畳されて表示できる。より詳しくは、第１ウィンドウ（１）は第２ウィンドウ〜第４ウィンドウ（２〜４）を覆うように表示され、第２ウィンドウ（２）は第３及び第４ウィンドウ（３及び４）を覆うように表示され、第３ウィンドウ（３）は第４ウィンドウ（４）を覆うように表示される。即ち、複数個のウィンドウ（１〜４）は重畳される場合、表示される順序を有することができ、上記表示される順序をＺ−オーダーと命名することができる。Ｚ−オーダーはＺ軸に対するウィンドウの表示順序である。階層ビューア５は、Ｚ−オーダーを階層化して表示する画面であってもよい。一方、Ｚ−オーダーは表示順序であると命名してもよい。
【００５５】
図３Ａは、本発明の一実施形態によるウィンドウの表示画面を示す。より詳しくは、図３Ａは、フリースタイルの表示モードを説明するための概念図である。
【００５６】
図３Ａに示したように、ディスプレイ装置３００はタッチスクリーン３１０を含む。タッチスクリーン３１０には複数個のウィンドウ３１１、３１２が表示される。また、タッチスクリーン３１０の下段には下段のバー３２０が表示される。上述のように、複数個のウィンドウ３１１、３１２が各々の表示順序に基づいて、互いに重畳されて表示できる表示モードをフリースタイルモードであると命名できる。
【００５７】
ウィンドウは、特定のアプリケーションの実行画面及び実行されるアプリケーションについてのタイトルバーと制御領域を含む領域であってもよい。アプリケーションの実行画面の上には、アプリケーションに関連したオブジェクト（object）が表示できる。オブジェクトは、テキスト、図形、アイコン、ボタン、チェックボックス、写真、動画、ウェブ（web）、マップ（map）など、様々な形状からなってもよい。ユーザーがオブジェクトをタッチする場合、上記オブジェクトに予め定められた機能又はイベントが対応されるアプリケーションで実行され得る。上記オブジェクトは、運営体制によってビュー（view）と呼んでもよい。タイトルバーは、ウィンドウの表示を制御する少なくとも一つの制御キーを含んでもよい。例えば、制御キーは、ウィンドウ表示の最小化ボタン、ウィンドウ表示の最大化ボタン及びウィンドウの終了ボタンであってもよい。
【００５８】
一方、複数のアプリケーションは各々、ディスプレイ装置３００の製造会社又はアプリケーションの開発者により互いに独立的に実現されたプログラムである。これにより、一つのアプリケーションが実行されるために、他のアプリケーションが予め実行されていることを要求しない。また、一つのアプリケーションが終了されても、他のアプリケーションは続けて実行されてもよい。
【００５９】
複数のアプリケーションは互いに独立的に実現されたプログラムであるという点で、一つのアプリケーション（例えば、動画アプリケーション）内に他のアプリケーションで提供する一部の機能（メモ機能、メッセージ送受信機能）が追加された複合機能のアプリケーション（又はデュアルアプリケーション）と区別される。しかし、このような複合機能のアプリケーションは、多様な機能を有するように新しく製作される単一のアプリケーションであって、既存のアプリケーションとは違いがある。従って、上記複合機能のアプリケーションは、既存のアプリケーションのように多様な機能を提供できず、制限的な機能は提供するだけでなく、ユーザーはこのような新しい複合機能のアプリケーションを別途に購買しなければならない負担がかかる。
【００６０】
制御部１１０は、複数個のウィンドウ３１１、３１２が互いに一部重畳して表示されるように制御する。制御部１１０は、複数個のウィンドウ３１１、３１２の各々に対して表示順序を設定することができる。例えば、制御部１１０は、ウィンドウ３１１に対しては、第１表示順序を設定することができ、ウィンドウ３１２に対しては、第２表示順序を設定することができる。これにより、制御部１１０は、相対的に高い表示順序を有するウィンドウ３１１がウィンドウ３１２を覆うように表示する。相対的に低い表示順所を有するウィンドウ３１２の領域の中、相対的に高い表示順序を有するウィンドウ３１１と重畳する部分は表示されない。
【００６１】
制御部１１０は、最近に制御イベントが入力されたウィンドウに最上位の表示順序を設定することができる。例えば、ユーザーがウィンドウ３１１をタッチすると、制御部１１０はウィンドウ３１１に最上位の表示順序を設定する。
【００６２】
図３Ｂは、本発明の一実施形態によるフレームワークを説明するための概念図である。
【００６３】
図３Ｂに示したように、フレームワーク２７０において、アクティビティーマネージャ２９１、ウィンドウマネージャ２９２及びビューシステム２９４は、マルチウィンドウフレームワーク４００と互換できる。ここで、マルチウィンドウフレームワーク４００との互換は、例えば、ＡＰＩ（Application Program Interface）の呼出などであってもよい。フレームワーク２７０は、また、コンテンツプロバイダ（Content Provider）２７３、パッケージマネージャ（Package Manager）２７５、テレフォニーマネージャ（telephony Manager）２７６、リソースマネージャ（Resource Manager）２７７、ロケーションマネージャ（Location Manager）２７８、及び通知マネージャ（Notification Manager）２７９を含んでもよい。
【００６４】
マルチウィンドウフレームワーク４００は、マルチウィンドウマネージャ（multi window manager）４１０及びマルチウィンドウサービス（multi window service）４２０を含む。
【００６５】
アクティビティーマネージャ２９１、ウィンドウマネージャ２９２及びビューシステム２９４は、マルチウィンドウのためのＡＰＩ（Application Program Interface）を呼び出す機能を行なってもよい。ウィンドウマネージャ２９２は、ウィンドウ各々のタイトルバーを生成することができる。また、ウィンドウマネージャ２９２は、ウィンドウ各々のＺ−オーダーを検索するか、これによるウィンドウ間のＺ−オーダーの順序を決めることができる。
【００６６】
マルチウィンドウマネージャ４１０は、マルチウィンドウサービス４２０の機能をＡＰＩ形態でユーザーに提供し、マネージャ／サービス構造はＩＰＣ基盤で動作できる。
【００６７】
マルチウィンドウサービス４２０は、マルチウィンドウで実行されるアプリケーションの実行周期（life cycle）を追跡し、各アプリケーションのサイズと位置などの状態を管理する。
【００６８】
呼出されたＡＰＩは、各々のウィンドウのサイズ、位置、可視度（visibility）を管理することができる。
【００６９】
上述したように、本開示によるフレームワークは、独立したマルチウィンドウフレームワークを提供してＡＰＩを呼び出す方式で行なってもよい。
【００７０】
また、アプリケーションの階層２６０は、直接マルチウィンドウマネージャ４１０からＡＰＩを呼出しすることもできる。即ち、ユーザーは新規のアプリケーションを開発する場合にも、マルチウィンドウマネージャ４１０から提供されるＡＰＩを利用できる。
【００７１】
上述のように、本発明はマルチウィンドウフレームワーク４００を選び、２個以上のアプリケーションを同時に表示することができる。
【００７２】
図３Ｃは、本発明の一実施形態によるウィンドウの表示順序の変更を説明するための画面を示す。
【００７３】
図３Ｃにおいて、ユーザー１１は、ディスプレイ装置３００のタッチスクリーン３１０上のウィンドウ３１２をタッチ（３０１）する。制御部１１０は、最近に制御イベントが入力されたウィンドウ３１２に最上位の表示順序を設定する。共に、制御部１１０は、既存の最上位の表示順序のウィンドウ３１１に対しては、次上位の順序を設定する。即ち、制御部１１０は、ウィンドウ３１１の表示順序を１レベル減少して設定する。下段のバー３２０は、タッチスクリーン３１０の下段部に表示されてもよい。
【００７４】
図３Ｄは、表示順序の変更されたウィンドウが表示された画面を示す。
【００７５】
図３Ｄに示したように、最上位の表示順序であるウィンドウ３１２がウィンドウ３１１を覆いながら表示できる。相対的に低い表示順序を有するウィンドウ３１１の領域の中、相対的に高い表示順序を有するウィンドウ３１２と重畳される部分は、ディスプレイ装置３００のタッチスクリーン３１０に表示されない。下段のバー３２０は、タッチスクリーン３１０の下段に表示されてもよい。
【００７６】
図４Ａ及び図４Ｂは、スプリットモードを説明するためのディスプレイ装置の概念図である。
【００７７】
図４Ａは、二つのアプリケーションがスプリットモードでメイン画面４１０に表示された例を示す。ユーザーが複数のアプリケーションを実行させると、制御部（図示せず）は、複数のアプリケーションを同時に実行して、メイン画面４１０にスプリットモードで表示することもできる。
【００７８】
スプリットモードにおいて、第１ウィンドウ４４０と第２ウィンドウ４５０は、メイン画面４１０上で互いに重畳されないように表示できる。例えば、図４Ａに示したように、メイン画面４１０が両分された状態で、第１ウィンドウ４４０は、メイン画面４１０の左側の半切に表示され、第２ウィンドウ４５０は、メイン画面４１０の右側の半切に表示できる。第１ウィンドウ４４０と第２ウィンドウ４５０は、共通の境界線４７０を共有しながら、互いに隣接して表示される。しかし、第１ウィンドウ４４０と第２ウィンドウ４５０は、互いにオーバーラップされない。共通の境界線４７０は、第１ウィンドウ４４０と第２ウィンドウ４５０との間に表示される。下段のバー４２０は、メイン画面４１０の下段部に表示されてもよい。
【００７９】
図４Ｂは、スプリットモードの例示図である。図４Ｂを参照すると、ユーザーは本発明により、一つのタッチスクリーン上に第１ウィンドウ４４０で実行されるウェブブラウザのアプリケーションを通じて、希望するレストランを検索しながら、同時に第２ウィンドウ４５０で実行されるメッセージのアプリケーションを通じて上記検索されたレストランで友達と一緒に夕食をすることを約束できる。図４Ｂに示したように、ユーザーは、第１ウィンドウ４４０上のオブジェクトをタッチすることにより、インターネットで情報を検索できる。また、ユーザーは、第２ウィンドウ４５０上のオブジェクトをタッチすることにより、メッセージサービスを通じて、友達のマーティン（Martin）と対話することができる。第１ウィンドウ４４０と第２ウィンドウ４５０は、共通の境界線４７０を共有しながら、互いに隣接して表示される。しかし、第１ウィンドウ４４０と第２ウィンドウ４５０は、互いにオーバーラップされない。共通の境界線４７０は、第１ウィンドウ４４０と第２ウィンドウ４５０との間に表示される。下段のバー４２０は、メイン画面４１０の下段部に表示されてもよい。
【００８０】
図５Ａ〜図５Ｃは、本発明の一実施形態によるディスプレイ装置の動作を説明するための概念図である。
【００８１】
図５Ａに示したように、ディスプレイ装置５００は、タッチスクリーンの上に第１ウィンドウ５１１、５１２及び第２ウィンドウ５２１、５２２を表示することができる。第１ウィンドウ５１１、５１２は、第１タイトルバー５１１及び第１アプリケーションの実行画面５１２から構成できる。第２ウィンドウ５２１、５２２は、第２タイトルバー５２１及び第２アプリケーションの実行画面５２２から構成できる。一方、ディスプレイ装置５００はアイコン化ボタン５３０をさらに表示できる。
【００８２】
アイコン化ボタン５３０が指定された場合、制御部（図示せず）は複数のウィンドウ５１１、５１２、５２１、５２２各々のウィンドウ情報を確認する。より詳しくは、制御部（図示せず）は、第１ウィンドウ５１１、５１２で実行されるアプリケーションの種類、第１ウィンドウ５１１、５１２のサイズ、及び第１ウィンドウ５１１、５１２の表示位置のうちの少なくとも一つを確認することができる。制御部（図示せず）は、第２ウィンドウ５２１、５２２で実行されるアプリケーションの種類、第２ウィンドウ５２１、５２２のサイズ、及び第２ウィンドウ５２１、５２２の表示位置のうちの少なくとも一つを確認できる。例えば、マルチウィンドウマネージャは、フレームワークのタスクマネージャ及びウィンドウマネージャからＡＰＩを呼出し、各々のウィンドウ情報を確認できる。なお、ウィンドウ情報はウィンドウで実行されるアプリケーションの実行状態をさらに含んでもよい。
【００８３】
制御部（図示せず）は、第１ウィンドウ５１１、５１２及び第２ウィンドウ５２１、５２２についてのウィンドウ情報を確認し、第１ウィンドウ５１１、５１２及び第２ウィンドウ５２１、５２２の表示を中断できる。共に、制御部（図示せず）は、第１ウィンドウ５１１、５１２で実行される第１アプリケーション及び第２ウィンドウ５２１、５２２で実行される第２アプリケーションを一括実行できる短縮実行アイコンを生成することができる。制御部（図示せず）は、短縮実行アイコンの名前を既設定されたテンプレート（template）で生成できるか、又はユーザーが直接短縮実行アイコンの名前を入力できるようにするＵＩを提供できる。制御部（図示せず）はユーザーから短縮実行アイコンの名前を入力されて、短縮実行アイコンと共に表示するよう制御できる。
【００８４】
タッチスクリーン上のアイコン化入力ボタンを指定することは単純に例示的なことで、当業者であれば、アイコン化入力の方法を容易に変更設計できることを理解する。例えば、画面キャプチャアイコンを、ロングプレス（long-press、所定の臨界値と同一の時間又は上記臨界値を超過する時間の間、プレスされた場合）してアイコン化入力を受けることができる。上述のアイコン化入力ボタンの位置もまた、例示的なものであって、アイコン化入力ボタンは下段のバーなどに配置してもよい。
【００８５】
図５Ｂは、本発明の一実施形態による短縮実行アイコンが表示されたメニュー画面の概念図である。図５Ｂに示したように、制御部（図示せず）は、アプリケーション実行アイコン５４１〜５４４と共に、短縮実行アイコン５４５を表示するように制御する。ここで、短縮実行アイコン５４５は、例えば、第１アプリケーション及び第２アプリケーションの各々のサムネールイメージの混合イメージであり得る。
【００８６】
ユーザーは、第１アプリケーション及び第２アプリケーションを一括実行するために、短縮実行アイコン５４５を指定できる。短縮実行アイコン５４５が指定されると判定されると、制御部（図示せず）は第１ウィンドウ５１１、５１２のウィンドウ情報及び第２ウィンドウ５２１、５２２のウィンドウ情報を読み出すことができる。
【００８７】
図５Ｃは、本発明の一実施形態によるディスプレイ装置の概念図である。制御部（図示せず）は、読み出した第１ウィンドウ５１１、５１２のウィンドウ情報及び第２ウィンドウ５２１、５２２のウィンドウ情報に基づいて、第１ウィンドウ５１１、５１２及び第２ウィンドウ５２１、５２２を表示するように制御する。制御部（図示せず）は、図５Ａのように、アイコン化入力の時点で表示されたのと同様に、第１ウィンドウ５１１、５１２及び第２ウィンドウ５２１、５２２を表示するように制御する。これにより、ユーザーは、最適化された複数のウィンドウの構成を再現して利用できるという点で、ユーザーの便宜が極大化できる。例えば、ユーザーは、家庭で主に利用されるウェブブラウザのアプリケーション、チャットアプリケーション、及びメディアプレーヤーのアプリケーションを家庭用短縮実行アイコンとして設定して容易に利用できる。又は、ユーザーは、学校で主に利用するウェブブラウザのアプリケーション、メモ帳のアプリケーション、辞書のアプリケーションを学校用短縮実行アイコンとして設定して容易に利用できる。
【００８８】
図６Ａ〜図６Ｃは、本発明の一実施形態によるディスプレイ装置の動作を説明するための概念図である。図５Ａ〜図５Ｃがフリースタイルの表示モードにおける動作を説明したとすれば、図６Ａ〜図６Ｃはスプリットモードにおける動作を説明するための概念図である。
【００８９】
図６Ａに示したように、ディスプレイ装置６００は、タッチスクリーンの上に第１ウィンドウ６１１、６１２及び第２ウィンドウ６２１、６２２を表示できる。第１ウィンドウ６１１、６１２は、第１タイトルバー６１１及び第１アプリケーションの実行画面６１２から構成できる。第２ウィンドウ６２１、６２２は、第２タイトルバー６２１及び第２アプリケーションの実行画面６２２から構成できる。一方、ディスプレイ装置６００は、アイコン化ボタン６３０をさらに表示できる。図６Ａにおいては、図５Ａと違って、アイコン化ボタン６３０が下段バーの上に表示される。
【００９０】
アイコン化ボタン６３０が指定された場合、制御部（図示せず）は、複数のウィンドウ６１１、６１２、６２１、６２２各々のウィンドウ情報を確認する。より詳しくは、制御部（図示せず）は、第１ウィンドウ６１１、６１２で実行されるアプリケーションの種類、第１ウィンドウ６１１、６１２のサイズ、及び第１ウィンドウ６１１、６１２の表示位置のうちの少なくとも一つを確認することができる。制御部（図示せず）は、第２ウィンドウ６２１、６２２で実行されるアプリケーションの種類、第２ウィンドウ６２１、６２２のサイズ、及び第２ウィンドウ６２１、６２２の表示位置のうちの少なくとも一つを確認できる。例えば、マルチウィンドウマネージャは、フレームワークのタスクマネージャ及びウィンドウマネージャよりＡＰＩを呼出し、各々のウィンドウ情報を確認できる。一方、ウィンドウ情報は、ウィンドウで実行されるアプリケーションの実行状態をさらに含んでもよい。
【００９１】
制御部（図示せず）は、第１ウィンドウ６１１、６１２及び第２ウィンドウ６２１、６２２についてのウィンドウ情報を確認し、第１ウィンドウ６１１、６１２及び第２ウィンドウ６２１、６２２の表示を中断できる。また、制御部（図示せず）は、第１ウィンドウ６１１、６１２で実行される第１アプリケーション及び第２ウィンドウ６２１、６２２で実行される第２アプリケーションを一括実行できる短縮実行アイコンを生成することができる。
【００９２】
図６Ｂは、本発明の一実施形態による短縮実行アイコンが表示されたメニュー画面の概念図である。図６Ｂに示したように、ディスプレイ装置６００の制御部は、アプリケーション実行アイコン６４１〜６４４と共に、短縮実行アイコン６４５を表示するように制御する。ここで、短縮実行アイコン６４５は、例えば、第１アプリケーション及び第２アプリケーション各々のサムネールイメージの混合イメージであり得る。
【００９３】
ユーザーは、第１アプリケーション及び第２アプリケーションを一括実行するために、短縮実行アイコン６４５を指定できる。短縮実行アイコン６４５が指定されたと判定されると、制御部は、第１ウィンドウ６１１、６１２のウィンドウ情報及び第２ウィンドウ６２１、６２２のウィンドウ情報を読み出すことができる。
【００９４】
図６Ｃは、本発明の一実施形態によるディスプレイ装置の概念図である。ディスプレイ装置６００の制御部は、読み出された第１ウィンドウ６１１、６１２のウィンドウ情報及び第２ウィンドウ６２１、６２２のウィンドウ情報に基づいて、第１ウィンドウ６１１、６１２及び第２ウィンドウ６２１、６２２を表示するように制御する。制御部は、図６Ａに示したように、アイコン化入力の時点で表示されるのと同様に、第１ウィンドウ６１１、６１２と第２ウィンドウ６２１、６２２を表示するように制御する。ディスプレイ装置６００は、アイコン化ボタン６３０を表示することができる。上述したように、本発明によるディスプレイ装置の制御方法は、スプリットモード及びフリースタイルの表示モードの両方で適用できる。
【００９５】
図７は、本発明の実施形態によるディスプレイ装置の制御方法を説明するためのフローチャートである。
【００９６】
図７に示したように、ディスプレイ装置は、複数のアプリケーションの各々に対応する複数個のウィンドウを表示できる（Ｓ７０１）。ここで、ディスプレイ装置は、複数個のウィンドウをスプリットモード又はフリースタイルの表示モードで表示できる。
【００９７】
ディスプレイ装置は、上記複数個のウィンドウをアイコン化するようにするアイコン化入力を受ける（Ｓ７０３）。例えば、ディスプレイ装置は、アイコン化入力ボタンをタッチスクリーン上の一部領域又は下段のバー上に表示できる。ディスプレイ装置は、表示されたアイコン化入力ボタンが指定されるか否かを判定して、アイコン化入力を受けられる。又は、ディスプレイ装置は、実行画面をキャプチャできるキャプチャボタンを表示できる。ディスプレイ装置は、キャプチャボタンがロングプレスされたか否かの可否を判定して、アイコン化入力を受けられる。
【００９８】
ディスプレイ装置は、複数のウィンドウの各々に対応するウィンドウ情報を確認できる（Ｓ７０５）。ここで、ウィンドウ情報は、複数のウィンドウの各々で実行されるアプリケーションの種類、ウィンドウ各々の位置、及びウィンドウ各々のサイズのうちの少なくとも一つを含んでもよい。又は、ウィンドウ情報は、アプリケーションの実行状態をさらに記憶してもよい。表１は本発明の実施形態によるウィンドウ情報の例示である。
【００９９】
【表１】
2014116010.tif 000003
表１に示したように、ウィンドウ情報は、第１ウィンドウで実行されるアプリケーションの種類が、ウェブブラウジングアプリケーションであるという点と、第１ウィンドウの位置が、（１３０、９０）であるという点、第１ウィンドウのサイズが、（１３０、９０）、（１３０、７０）、（１５０、９０）、（１５０、７０）であるという点と、アプリケーションの実行状態が最終的に入力されたＵＲＩが、http://www.ss.comであるという点を含む。さらに、ウィンドウ情報は、第２ウィンドウで実行されるアプリケーションの種類が、メモ帳アプリケーションであるという点と、ウィンドウの位置が、（２４５、３０）であるという点、ウィンドウのサイズが、（２４５、３０）、（２４５、７８）、（２９０、３０）、（２９０、７８）であるという点と、アプリケーションの実行状態の最終的に記載された内容が、２番目のメモ帳であるという点を含む。
【０１００】
ディスプレイ装置は確認されたウィンドウ情報を記憶できる。ディスプレイ装置は、複数のウィンドウの表示を中断し、短縮実行アイコンを生成できる（Ｓ７０９）。短縮実行アイコンは、複数のアプリケーションを一括的に実行できるようにするアイコンである。
【０１０１】
図８は、本発明の実施形態によるディスプレイ装置の制御方法を示すフローチャートである。
【０１０２】
図８に示したように、ディスプレイ装置は、複数のアプリケーションを一括的に実行できるようにする短縮実行アイコンを表示できる（Ｓ８０１）。ユーザーは、複数のアプリケーションを一括的に実行できるように短縮実行アイコンを指定できる。ディスプレイ装置は、短縮実行アイコンが指定されたか否かの可否を判定できる（Ｓ８０３）。短縮実行アイコンが指定されなかったと判定されると（Ｓ８０３−Ｎ）、短縮実行アイコンの表示を保持する（Ｓ８０１）。一方、短縮実行アイコンが指定されたと判定されると（Ｓ８０３−Ｙ）、記憶されたウィンドウ情報を読み出す（Ｓ８０５）。
【０１０３】
ディスプレイ装置は、読み出されたウィンドウ情報に基づいて、複数個のウィンドウを再び表示する（Ｓ８０７）。ここで、ディスプレイ装置は、アイコン化入力の時点で表示されるウィンドウの位置及びサイズと同一であるようにアプリケーションを表示できる。
【０１０４】
図９は、本発明の他の実施形態によるディスプレイ装置の制御方法についてのフローチャートである。
【０１０５】
図９に示したように、第１ディスプレイ装置９１０及び第２ディスプレイ装置９２０は、互いに所定のデータを送／受信することができる。即ち、第１ディスプレイ装置９１０及び第２ディスプレイ装置の各々は通信部を含み、この通信部を通じてデータを送／受信することができる。ここで、通信部は、移動通信モジュール又は近距離通信モジュールなどで実現でき、当業者であれば、通信方法に対する制限がないことを容易に理解する。
【０１０６】
第１ディスプレイ装置９１０は、複数のアプリケーションの各々を実行する複数個のウィンドウを表示する（Ｓ９３１）。共に、第１ディスプレイ装置９１０は、アイコン化入力を受けることができ、これに基づいて、ウィンドウ情報を確認することができる。第１ディスプレイ装置９１０は、確認されたウィンドウ情報に基づいて、短縮実行アイコンを生成する（Ｓ９３３）。第１ディスプレイ装置９１０は、第２ディスプレイ装置９２０により生成された短縮実行アイコンを送信できる（Ｓ９３５）。より詳しくは、第１ディスプレイ装置９１０は、生成された短縮実行アイコンのサムネールイメージ及びウィンドウ情報を共に送信できる。
【０１０７】
第２ディスプレイ装置９２０は短縮実行アイコンを受信する（Ｓ９３５）。より詳しくは、第２ディスプレイ装置９２０は、生成された短縮実行アイコンのサムネールイメージ及びウィンドウ情報を共に受信できる。
【０１０８】
第２ディスプレイ装置９２０は、短縮実行アイコンを表示し、短縮実行アイコンが指定されたか否かの可否を判定できる（Ｓ９３７）。短縮実行アイコンが指定されると、第２ディスプレイ装置９２０はウィンドウ情報を読み出す（Ｓ９３９）。第２ディスプレイ装置９２０は、読み出されたウィンドウ情報に基づいて、複数個のウィンドウを表示できる（Ｓ９４１）。ここで、第２ディスプレイ装置９２０は、第１ディスプレイ装置９１０で表示されたことと同様に、複数個のウィンドウを表示できる。第２ディスプレイ装置９２０は、解像度が第１ディスプレイ装置９１０の解像度と同様に設定された場合には、第１ディスプレイ装置９１０の解像度と同様に表示するように制御する。一方、第２ディスプレイ装置９２０は、解像度が第１ディスプレイ装置９１０の解像度と相異に設定された場合には、既設定された変換の手続きに基づいて、複数個のウィンドウを表示できる。
【０１０９】
図１０は、本発明の一実施形態によるディスプレイ装置の制御方法についてのフローチャートである。
【０１１０】
ディスプレイ装置は、複数のアプリケーションの各々に対応する複数個のウィンドウを表示できる（Ｓ１００１）。ここで、ディスプレイ装置は、複数個のウィンドウをスプリットモード又はフリースタイルの表示モードで表示できる。
【０１１１】
ディスプレイ装置は、上記複数個のウィンドウをアイコン化するようにするアイコン化入力を受けることができる（Ｓ１００３）。
【０１１２】
ディスプレイ装置は、複数のウィンドウの各々に対応するウィンドウ情報を確認できる（Ｓ１００５）。ここで、ウィンドウ情報は、複数のウィンドウの各々で実行されるアプリケーションの種類、ウィンドウ各々の位置、及びウィンドウ各々のサイズのうちの少なくとも一つを含んでもよい。ウィンドウ情報は、アプリケーションの実行状態をさらに記憶することもできる（Ｓ１００７）。
【０１１３】
ディスプレイ装置は確認されたウィンドウ情報を記憶できる。ディスプレイ装置は複数のウィンドウの表示を中断し、短縮実行アイコンを生成できる（Ｓ１００９）。短縮実行アイコンは、複数のアプリケーションを一括的に実行できるようにするアイコンである。
【０１１４】
図１１は、本発明の実施形態によるディスプレイ装置の制御方法についてのフローチャートである。
【０１１５】
図１１に示したように、ディスプレイ装置は、複数のアプリケーションを一括的に実行できるようにする短縮実行アイコンを表示できる（Ｓ１１０１）。ユーザーは、複数のアプリケーションを一括的に実行できるように短縮実行アイコンを指定することができる。ディスプレイ装置は、短縮実行アイコンが指定されたか否かの可否を判定できる（Ｓ１１０３）。短縮実行アイコンが指定されなかったと判定されると（Ｓ１１０３−Ｎ）、短縮実行アイコンの表示を保持する（Ｓ１１０１）。一方、短縮実行アイコンが指定されたと判定されると（Ｓ１１０３−Ｙ）、記憶されたウィンドウ情報を読み出して複数のウィンドウを表示する（Ｓ１１０５）。
【０１１６】
ディスプレイ装置は、読み出されたウィンドウ情報に基づいて、複数のアプリケーション各々の実行状態を再現するよう制御する（Ｓ１１０７）。ここで、ディスプレイ装置は、アイコン化入力の時点で表示されたウィンドウの位置及びサイズと同一であるよう複数のアプリケーションを表示できる。共に、ディスプレイ装置は、アイコン化入力の時点に表示されたアプリケーションの状態をそのまま制御できる。
【０１１７】
図１２Ａ〜図１２Ｒは、本発明の様々な実施形態によるディスプレイ装置の概念図である。
【０１１８】
図１２Ａにおいて、ディスプレイ装置１２００はメニュー画面１２１７を表示する。メニュー画面１２１７は、ランチャープログラムの実行画面であってもよく、各種のアプリケーションを実行できるアイコンを含んでもよい。共に、メニュー画面１２１７は、現在の時間についての情報を含んでもよく、各種のウィジェット（widget）をさらに含んでもよい。ディスプレイ装置１２００は、タッチスクリーンの左側に、実行可能なアプリケーションのアイコン１２１１〜１２１４を含むトレイ１２１０を表示する。また、トレイ１２１０は、アイコン編集ボタン１２１５及び短縮実行アイコン生成ボタン１２１６をさらに含んでもよい。
【０１１９】
ユーザー１０は、図１２Ｂのように、第１アプリケーションＡを実行するようディスプレイ装置１２００を操作できる。例えば、ユーザー１０は、第１アプリケーションＡのアイコン１２１１をタッチし、図１２Ｃのように、メニュー画面１２１７へのドラッグジェスチャを入力できる。制御部（図示せず）は、ユーザー１０がタッチする地点に当該アイコン１２１１が表示されるよう制御できる。共に、制御部（図示せず）は、ユーザー１０がタッチする地点に対応するようゴーストビュー（ghost view）１２１８を表示するよう制御できる。ここで、ゴーストビュー１２１８は、当該アプリケーションの実行されるウィンドウが実行されるサイズ及び形状を予め表示して、ユーザー１０がウィンドウの配置の位置を選択できるようにするビューを意味する。制御部（図示せず）は表示されるウィンドウがないため、フルスクリーンのゴーストビュー１２１８を表示するよう制御できる。一方、より詳細に後述することにより、制御部（図示せず）は、タッチスクリーンに表示されるウィンドウのない場合、フルスクリーンのゴーストビューを表示するよう制御できる。共に、制御部（図示せず）は、タッチスクリーンに表示されるウィンドウが一つである場合、タッチスクリーンを半分に分割したサイズ及び形態のゴーストビューを表示するよう制御できる。また、制御部（図示せず）は、タッチスクリーンに表示されるウィンドウが二つである場合、二個中の一つのウィンドウを半分に分割したサイズ及び形態のゴーストビューを表示するよう制御できる。
【０１２０】
制御部（図示せず）は、上述のドラッグジェスチャを新規のアプリケーションを実行せよという新規のアプリケーションの実行命令として認識できる。共に、制御部（図示せず）は第１アプリケーションＡを実行する第１ウィンドウ１２１９を生成できる。制御部（図示せず）は、生成された第１ウィンドウ１２１９を、図１２Ｄのようにフルスクリーンで表示するよう制御できる。
【０１２１】
一方、ユーザー１０は、さらに第２アプリケーションＢを実行するようディスプレイ装置１２００を操作できる。例えば、ユーザー１０は、第２アプリケーションＢのアイコン１２１２を、図１２Ｅのようにタッチした以後、図１２Ｆのように、第１ウィンドウ１２１９の下部へドラッグできる。制御部（図示せず）は、ユーザー１０がタッチする地点に当該アイコン１２１２を表示するよう制御する。共に、制御部（図示せず）は、ユーザー１０がタッチする地点に対応してゴーストビュー１２２３を表示するよう制御できる。上述のように、タッチスクリーン上に１個のウィンドウ１２１９が表示されているため、制御部（図示せず）は、ゴーストビュー１２２３をタッチスクリーンの半切のサイズ及び形態を有するよう表示するように制御できる。図示されていないが、ユーザー１０のタッチ位置がタッチスクリーンの上部である場合には、制御部（図示せず）がゴーストビュー１２２３を下側の半切でなく、上側の半切に表示するように制御することは自明である。また、ゴーストビューが下側の半切に表示されることもまた、単純に例示的なことであり、制御部（図示せず）は、タッチスクリーンを左／右に分割していずれか一つにゴーストビューを表示するよう制御することもできる。
【０１２２】
一方、ユーザー１０のドラッグ入力が、図１２Ｆのように、タッチスクリーンの下方で終了されると、制御部（図示せず）は、新規のアプリケーションの実行命令が入力されたと判定する。図１２Ｇのように、制御部（図示せず）は、図１２Ｆのゴーストビュー１２２３に対応するタッチスクリーンの下側の半切に、第２ウィンドウ１２３０を表示するよう制御する。また、制御部（図示せず）は、第１ウィンドウ１２１９のサイズ及び形態をタッチスクリーンの上側の半切に対応するよう縮小して表示するように制御する。
【０１２３】
一方、ユーザー１０は、タッチスクリーンの上側の半切に第１ウィンドウ１２２０及び下側の半切に第２ウィンドウ１２３０を実行した状態についての短縮実行アイコンを生成できる。例えば、ユーザー１０は、図１２Ｈのように、短縮実行アイコン生成ボタン１２１６を指定できる。短縮実行アイコン生成ボタン１２１６の指定は、短縮実行アイコン生成の命令の例示であってもよく、短縮実行アイコン生成の命令は、短縮実行アイコン生成ボタン１２１６の指定だけでなく、他の例示で実現できることを、当業者であれば、容易に理解できる。
【０１２４】
短縮実行アイコン生成の命令が入力されると、制御部（図示せず）は、短縮実行アイコン１２３５をトレイ１２１０上に生成して表示するよう制御できる。ここで、短縮実行アイコン１２３５は、第１アプリケーションのアイコン１２１１及び第２アプリケーションのアイコン１２１２が重なった形態で表示できる。これにより、ユーザーが第１アプリケーション及び第２アプリケーソンのアイコンの両方を識別できる。
【０１２５】
一方、図１２Ｊのように、ユーザー１０が短縮実行アイコン１２３５を指定する短縮実行アイコン実行の命令を入力すると、制御部（図示せず）は、タッチスクリーンの上側の半切に第１ウィンドウ１２２０及び下側の半切に第２ウィンドウ１２３０を実行して図１２Ｋのように表示できる。
【０１２６】
一方、また他の実施形態として、ユーザー１０は、図１２Ｌのように、短縮実行アイコン編集ボタン１２１５を指定する短縮実行アイコン編集の命令を入力できる。さらに、図１２Ｍのように、編集対象の短縮実行アイコン１２３５を指定できる。制御部（図示せず）は、編集対象の短縮実行アイコン１２３５についての編集画面１２４０を、図１２Ｎのように表示できる。編集画面１２４０には、編集対象の短縮実行アイコン１２３５の名前を変更するタブ１２４１及び編集対象の短縮実行アイコン１２３５の削除タブ１２４２が含まれてもよい。名前を変更するタブ１２４１が指定されると、制御部（図示せず）は、編集対象の短縮実行アイコン１２３５の名前を変更するＵＩを提供するよう制御できる。共に、削除タブ１２４２が指定されると、制御部（図示せず）は、編集対象の短縮実行アイコン１２３５を削除できる。
【０１２７】
図１２Ｏは、本発明の一実施形態によるディスプレイ装置の概念図である。図１２Ｏにおいて、制御部（図示せず）は、画面を３分割して表示するよう制御できる。例えば、制御部（図示せず）は、画面の上側の半切に第１アプリケーションＡを実行する第１ウィンドウ１２４４を表示するよう制御できる。制御部（図示せず）は、画面の下側の半切中の左側の半切に第２アプリケーションＢを実行する第２ウィンドウ１２４２を表示し、画面の下側の半切中の右側の半切に第３アプリケーションＣを実行する第３ウィンドウ１２４３を表示するよう制御できる。共に、ユーザーは短縮実行アイコン生成ボタン１２１６を指定でき、制御部（図示せず）は、これに対応して短縮実行アイコン１２４５を生成して表示するよう制御できる。例えば、短縮実行アイコン１２４５は、第１アイコン１２１１、第２アイコン１２１２及び第３アイコン１２１３が重なった形態で実現できる。
【０１２８】
図１２Ｐは、本発明の一実施形態によるディスプレイ装置の概念図である。図１２Ｐにおいて、制御部（図示せず）は、画面を３分割して表示するように制御できる。例えば、制御部（図示せず）は、画面の上側の半切中の左側の半切に第１アプリケーションＡを実行する第１ウィンドウ１２５１を表示するように制御できる。制御部（図示せず）は、画面の上側の半切中の右側の半切に第２アプリケーションＢを実行する第２ウィンドウ１２５２を表示し、画面の下側の半切に第３アプリケーションＣを実行する第３ウィンドウ１２５３を表示するよう制御できる。共に、ユーザーは短縮実行アイコン生成ボタン１２１６を指定でき、制御部（図示せず）は、これに対応して短縮実行アイコン１２５５を生成して表示するように制御できる。例えば、短縮実行アイコン１２５５は、第１アイコン１２１１、第２アイコン１２１２及び第３アイコン１２１３が重なった形態で実現できる。
【０１２９】
図１２Ｑは、本発明の一実施形態によるディスプレイ装置の概念図である。図１２Ｑにおいて、制御部（図示せず）は画面を４分割して表示するように制御できる。例えば、制御部（図示せず）は画面の上側の半切の中左側の半切に第１アプリケーションＡを実行する第１ウィンドウ１２６１を表示するように制御できる。制御部（図示せず）は画面の上側の半切の中右側の半切に第２アプリケーションＢを実行する第２ウィンドウ１２６２を表示するように制御できる。制御部（図示せず）は画面の下側の半切の中左側の半切に第３アプリケーションＣを実行する第３ウィンドウ１２６３を表示するように制御できる。制御部（図示せず）は画面の下側の半切の中右側の半切に第４アプリケーションＤを実行する第４ウィンドウ１２６４を表示するように制御できる。
【０１３０】
ユーザーは短縮実行アイコン生成ボタン１２１６を指定でき、制御部（図示せず）はこれに対応して短縮実行アイコン１２６５を生成して表示するように制御できる。例えば、短縮実行アイコン１２６５は第１アイコン１２１１、第２アイコン１２１２、第３アイコン１２１３及び第４アイコン１２１４が重なった形態で実現できる。
【０１３１】
図１２Ｒは、本発明の一実施形態によるディスプレイ装置の概念図である 図１２Ｒにおいて、制御部（図示せず）は、第１アプリケーションＡを実行する第１ウィンドウ１２７１、第２アプリケーションＢを実行する第２ウィンドウ１２７２、第３アプリケーションＣを実行する第３ウィンドウ１２７３及び第４アプリケーションＤを実行する第４ウィンドウ１２７４を表示するように制御できる。制御部（図示せず）は、第１ウィンドウ１２７１乃至第４ウィンドウ１２７４を各々の表示順序に基づいて、互いに重畳するように表示できる。共に、ユーザーは短縮実行アイコン生成ボタン１２１６を指定でき、制御部（図示せず）は、これに対応して短縮実行アイコン１２７５を生成して表示するように制御できる。例えば、短縮実行アイコン１２７５は、第１アイコン１２１１、第２アイコン１２１２、第３アイコン１２１３及び第４アイコン１２１４が重なった形態で実現することができる。
【０１３２】
図１３Ａ乃至図１３Ｅは、本発明の様々な実施形態によるディスプレイ装置の表示画面の概念図である。図１３Ａ乃至図１３Ｅを参照すると、ディスプレイ装置１２００は、タッチスクリーンの左側にトレイ１２１０を表示することができる。トレイ１２１０は、実行できる各々のアプリケーションを示すアイコン１２１１、１２１２、１２１３及び１２１４を含んでもよい。トレイ１２１０は、短縮実行アイコン１２３５、短縮アイコン編集ボタン１２１５及び短縮アイコン生成ボタン１２１６をさらに含んでもよい。
【０１３３】
図１３Ａのように、制御部（図示せず）は、名前変更アイコン１３０１及削除アイコン１３０２を表示するように制御できる。一方、図１３Ｂ及び図１３Ｃのように、ユーザー１０は、短縮実行アイコン１２３５から名前変更アイコン１３０１へのドラッグジェスチャ１３１０の短縮実行アイコンの削除命令を入力できる。制御部（図示せず）は、ドラッグジェスチャ１３１０に対応して短縮実行アイコン１２３５を移動させて表示し、名前変更アイコン１３０１でタッチが解除されると、短縮実行アイコン１２３５の名前を変更できるＵＩを提供することができる。一方、他の実施形態として、制御部（図示せず）は、短縮実行アイコンがロングプレスされる名前の編集命令を入力すると、短縮実行アイコン１２３５の名前を変更できるＵＩを表示することもできる。
【０１３４】
一方、図１３Ｄ及び図１３Ｅに示したように、ユーザー１０は、短縮実行アイコン１２３５から削除アイコン１３０２へのドラッグジェスチャ１３２０の短縮実行アイコンの削除命令を入力できる。制御部（図示せず）は、ドラッグジェスチャ１３２０に対応して短縮実行アイコン１２３５を移動させて表示し、削除アイコン１３０２でタッチが解除されると、短縮実行アイコン１２３５を削除できる。
【０１３５】
図１３Ｆは、本発明の一実施形態による名前変更ＵＩの概念図である。ディスプレイ装置１３００の名前変更ＵＩは 、名前変更入力窓１３１１及びキーボード１３１２を含んでもよい。ユーザー１０は、名前変更入力窓１３１１及びキーボード１３１２が表示されるようにする名前変更アイコン１３０１を選択することができる。
【０１３６】
図１４Ａ及び図１４Ｂは、本発明の様々な実施形態による短縮実行アイコンの概念図である。図１４Ａでは、ギャラリーアプリケーションアイコン１４０１及び文字メッセージアプリケーションアイコン１４０２が結合された短縮実行アイコン１４０３が開示される。図１４Ｂでは、ウェブブラウジングアプリケーションアイコン１４１１及びギャラリーアイコン１４１２が結合された短縮実行アイコン１４１３が開示される。図１４Ａ及び図１４Ｂに示したように、短縮実行アイコン１４０３は、二つのアイコン１４０１、１４０２が重なった状態で表示でき、短縮実行アイコン１４１３は、二つのアイコン１４１１、１４１２が重なった状態で表示できる。これにより、ユーザーは、短縮実行アイコン１４０３、１４１３に含まれたアプリケーションがどんなアプリケーションであるかを識別できる。
【０１３７】
図１５Ａ及び図１５Ｂは、本発明の様々な実施形態によるディスプレイ装置の制御方法を説明するフローチャートである。
【０１３８】
制御部（図示せず）は複数のアプリケーションの使用履歴を記憶できる（Ｓ１５０１）。例えば、制御部（図示せず）は第１時間に、第１アプリケーション及び第２アプリケーションが用いられたという使用履歴を記憶できる。制御部（図示せず）は、複数のアプリケーションに対応する複数のウィンドウのアイコン化情報を抽出できる（Ｓ１５０３）。例えば、制御部（図示せず）は第１時間に、第１アプリケーション及び第２アプリケーションが用いられたという複数のウィンドウのアイコン化情報を抽出できる。制御部（図示せず）は、短縮実行アイコンを自動生成して表示できる（Ｓ１５０５）。例えば、制御部（図示せず）は、第１アプリケーション及び第２アプリケーションが結合された短縮実行アイコンを自動生成して表示できる。特に、制御部（図示せず）は、第１アプリケーション及び第２アプリケーションの各々に対応するウィンドウの位置及びサイズのうちの少なくとも一つを複数のウィンドウのアイコン化情報として抽出できる。短縮実行アイコンの実行命令が入力されると、制御部（図示せず）は、第１アプリケーション及び第２アプリケーションの各々に対応するウィンドウの位置及びサイズのうちの少なくとも一つに基づいて、ウィンドウを表示するように制御できる。
【０１３９】
図１５Ｂは、本発明の他の実施形態によるディスプレイ装置の制御方法を説明するフローチャートである。
【０１４０】
図１５Ｂにおいて、制御部（図示せず）は第１時間に、アプリケーションの使用内訳を判定できる（Ｓ１５１１）。制御部（図示せず）は、複数のアプリケーションの第１時間に同時に使われた回数が臨界値を超過するかを判定できる（Ｓ１５１３）。複数のアプリケーションの第１時間に同時に使われた回数が臨界値を超過すると（Ｓ１５１３−Ｙ）、制御部（図示せず）は、複数のアプリケーション対応の短縮実行アイコンを生成して表示できる（Ｓ１５１５）。特に、制御部（図示せず）は、生成した短縮実行アイコンの名前を第１時間に対応して設定できる。
【０１４１】
また、他の実施形態として、制御部（図示せず）は、最近に実行した複数のアプリケーションに対応する短縮実行アイコンを生成して表示してもよい。または、制御部（図示せず）は、ディスプレイ装置の位置情報に基づいて、当該位置における使用回数が多い複数のアプリケーションに対応する短縮実行アイコンを生成して表示することもできる。
【０１４２】
例えば、制御部（図示せず）は月曜日９：００に、ウェブブラウジングアプリケーション１４１１及びギャラリーアプリケーション１４１２が同時に使われる使用パターンを検出できる。制御部（図示せず）は月曜日９：００に、ウェブブラウジングアプリケーション及びギャラリーアプリケーションの同時使用回数が臨界値を超過するかを判定することにより、使用パターンを検出できる。制御部（図示せず）は、図１５Ｃのような短縮実行アイコン１４１５を生成して表示できる。制御部（図示せず）は、短縮実行アイコン１４１５の名前を「Monday  ９：００」として設定して短縮実行アイコン１４１５と共に表示するように制御することもできる。
【０１４３】
一方、本発明によるディスプレイ装置の制御方法のまた他の実施形態として、ディスプレイ上に各々のアプリケーションを実行する複数のウィンドウを表示するステップと、上記複数のウィンドウを同時に実行させるための短縮実行アイコン生成への要請を受けるステップと、及び上記短縮実行アイコンを生成して、上記ディスプレイ上の予め定められた領域に表示するステップとを含んでもよい。また、上記複数のウィンドウが上記ディスプレイ上から消えた状態で、ユーザーにより上記短縮実行アイコンが選択される場合、上記複数のウィンドウを上記ディスプレイ上に同時に表示するステップをさらに含んでもよい。上記短縮実行アイコンは、上記複数のウィンドウで実行されるアプリケーションについての各々のアイコンが結合されて表示されるイメージであってもよく、上記各々のアイコンが結合されて表示されることは、いずれか一つのアプリケーションアイコンの一部が他の一つのアプリケーションアイコンの一部と重なって表示されることであってもよい。本実施形態についての説明は、上述の他の実施形態についての説明が同様に適用できるので、詳細な説明は省略する。
【０１４４】
本発明の実施形態は、ハードウェア、ソフトウェア、又はハードウェアとソフトウェアとの組合せの形態で実現可能である。このような任意のソフトウェアは、例えば、削除又は再記録が可能であるか否かに関係なく、ＲＯＭなどの記憶装置のような揮発性又は非揮発性記憶装置、又は、例えば、ＲＡＭ、メモリチップ、装置又は集積回路のようなメモリ、又は例えば、ＣＤ（Compact Disc）、ＤＶＤ（Digital Versatile Disc）、磁気ディスク又は磁気テープなどの光学的又は磁気的に記録可能であると同時に、機械（例えば、コンピューター）で読み取り可能な媒体に記憶することができる。本発明のグラフィク画面の更新方法は、制御部及びメモリを含むコンピューター又は携帯端末により実現でき、このメモリは、本発明の様々な実施形態を実現する指示を含むプログラム又は複数のプログラムを記憶するのに適合な機械可読記憶媒体の一例である。
【０１４５】
従って、本発明の様々な実施形態は、本願のいずれかの請求項に記載された装置又は方法を実現するためのコードを含むプログラム及びこのようなプログラムを記憶する機械（コンピューターなど）可読記憶媒体を含む。さらに、このようなプログラムは、有線又は無線接続を通じて伝達される通信信号のような任意の媒体を介して電子的に移送される。したがって、本発明はこれと均等なことを適切に含む。
【０１４６】
また、上記装置は有線又は無線で接続されるプログラムの提供装置から上記プログラムを受信して記憶できる。上記プログラムの提供装置は、上記グラフィック処理装置が既設定されたコンテンツの保護方法を実行するようにする指示を含むプログラム、コンテンツの保護法に必要な情報などを記憶するためのメモリと、上記グラフィック処理装置との有線又は無線通信を実行するための通信部と、上記グラフィック処理装置の要請又は自動で対応するプログラムを上記送受信装置に伝送する制御部とを含むことができる。
【０１４７】
以上、本発明を具体的な実施形態に関して図示及び説明したが、添付した特許請求の範囲により規定されるような本発明の精神及び範囲を外れることなく、形式や細部の様々な変更が可能であることは、当該技術分野における通常の知識を持つ者には明らかである。  
【符号の説明】
【０１４８】
１００、３００、５００、６００、１２００、１３００…  ディスプレイ装置
１１０…  制御部
１２０…  移動通信モジュール
１３０…  サブ通信モジュール
１３１…  無線ＬＡＮモジュール
１３２…  近距離通信モジュール
１４０…  マルチメディアモジュール
１４１…  放送通信モジュール
１４２…  オーディオ再生モジュール
１４３…  動画再生モジュール
１５０…  カメラモジュール
１６０…  入／出力モジュール
１６１…  ボタン
１６２…  マイク
１６３…  スピーカ
１６４…  振動モーター
１６５…  コネクタ
１６６…  キーパッド
１７０…  センサーモジュール
１７５…  メモリ部
１８０…  電源供給部
１９０、３１０…  タッチスクリーン
１９５…  タッチスクリーンコントローラ
【図１】
2014116010.tif 000004
【図２Ａ】
2014116010.tif 000005
【図２Ｂ】
2014116010.tif 000006
【図３Ａ】
2014116010.tif 000007
【図３Ｂ】
2014116010.tif 000008
【図３Ｃ】
2014116010.tif 000009
【図３Ｄ】
2014116010.tif 000010
【図４Ａ】
2014116010.tif 000011
【図４Ｂ】
2014116010.tif 000012
【図５Ａ】
2014116010.tif 000013
【図５Ｂ】
2014116010.tif 000014
【図５Ｃ】
2014116010.tif 000015
【図６Ａ】
2014116010.tif 000016
【図６Ｂ】
2014116010.tif 000017
【図６Ｃ】
2014116010.tif 000018
【図７】
2014116010.tif 000019
【図８】
2014116010.tif 000020
【図９】
2014116010.tif 000021
【図１０】
2014116010.tif 000022
【図１１】
2014116010.tif 000023
【図１２Ａ】
2014116010.tif 000024
【図１２Ｂ】
2014116010.tif 000025
【図１２Ｃ】
2014116010.tif 000026
【図１２Ｄ】
2014116010.tif 000027
【図１２Ｅ】
2014116010.tif 000028
【図１２Ｆ】
2014116010.tif 000029
【図１２Ｇ】
2014116010.tif 000030
【図１２Ｈ】
2014116010.tif 000031
【図１２Ｉ】
2014116010.tif 000032
【図１２Ｊ】
2014116010.tif 000033
【図１２Ｋ】
2014116010.tif 000034
【図１２Ｌ】
2014116010.tif 000035
【図１２Ｍ】
2014116010.tif 000036
【図１２Ｎ】
2014116010.tif 000037
【図１２Ｏ】
2014116010.tif 000038
【図１２Ｐ】
2014116010.tif 000039
【図１２Ｑ】
2014116010.tif 000040
【図１２Ｒ】
2014116010.tif 000041
【図１３Ａ】
2014116010.tif 000042
【図１３Ｂ】
2014116010.tif 000043
【図１３Ｃ】
2014116010.tif 000044
【図１３Ｄ】
2014116010.tif 000045
【図１３Ｅ】
2014116010.tif 000046
【図１３Ｆ】
2014116010.tif 000047
【図１４Ａ】
2014116010.tif 000048
【図１４Ｂ】
2014116010.tif 000049
【図１５Ａ】
2014116010.tif 000050
【図１５Ｂ】
2014116010.tif 000051
【図１５Ｃ】
2014116010.tif 000052